(57)【特許請求の範囲】
【請求項１】
建物に固定される固定片と、固定片の下端から前方に向かって下り傾斜して形成される傾斜片と、傾斜片の前端から下方に向かって突出して形成される垂下片とを有して土台水切りを形成し、傾斜片の下側で且つ垂下片の裏面側の空間に光源ホルダーを配設し、光源ホルダーの取付部を土台の屋外面にビス等で固定し、光源を光源ホルダーに設けて成ることを特徴とする照明付き土台水切り。
【請求項２】
前記光源を光源ホルダーに着脱可能に設けて成ることを特徴とする請求項１に記載の照明付き土台水切り。
【請求項３】
前記光源をタイマによる時間計測又はセンサによる検知により点灯又は消灯自在に形成して成ることを特徴とする請求項１又は２に記載の照明付き土台水切り。
【発明の詳細な説明】
【技術分野】
【０００１】
本発明は、建物の土台の防水を図るための土台水切りの改良に関するものである。
【背景技術】
【０００２】
従来より、建物の土台の防水を図るために土台水切りを設けることが行われているが（例えば、特許文献１参照）、このような土台水切りに光源を設けて建物の周辺を照明するものはなかった。従って、建物の周辺が暗い場合、特に夜間では、建物の周辺を歩行する際の安全性、防犯性、建物の外観が低いという問題があった。
【特許文献１】実開平０５−０９６２１５号公報
【発明の開示】
【発明が解決しようとする課題】
【０００３】
本発明は上記の点に鑑みてなされたものであり、建物の周辺を照明することにより歩行時の安全性、防犯性、建物の外観を向上させることができる照明付き土台水切りを提供することを目的とするものである。
【課題を解決するための手段】
【０００４】
本発明の請求項１に係る照明付き土台水切りＡは、建物に固定される固定片１と、固定片１の下端から前方に向かって下り傾斜して形成される傾斜片２と、傾斜片２の前端から下方に向かって突出して形成される垂下片３とを有して土台水切り４を形成し、傾斜片２の下側で且つ垂下片３の裏面側の空間に光源ホルダー９を配設し、光源ホルダー９の取付部８を土台１７の屋外面にビス等で固定し、光源５を光源ホルダー９に設けて成ることを特徴とするものである。
【０００５】
本発明の請求項２に係る照明付き土台水切りＡは、請求項１において、前記光源５を光源ホルダー９に着脱可能に設けて成ることを特徴とするものである。
【０００６】
本発明の請求項３に係る照明付き土台水切りＡは、請求項１又は２において、前記光源５をタイマによる時間計測又はセンサによる検知により点灯又は消灯自在に形成して成ることを特徴とするものである。
【発明の効果】
【０００７】
請求項１に係る発明では、光源５により外壁の周辺を照明することができ、歩行時の安全性、防犯性、建物の外観を向上させることができるものである。しかも、光源５は傾斜片２や垂下片３で覆われているため、雨水がかかりにくくなり、雨水による光源５の破損や故障を防止することができるものである。また、光源ホルダー９を土台水切り４と別体に形成したので、光源ホルダー９と土台水切り４のそれぞれを施工現場で接続したり切断したりすることができ、自由な長さにすることができるものである。
【０００８】
請求項２に係る発明は、光源５を光源ホルダー９から取り外したり光源ホルダー９に取り付けることができ、光源５のメンテナンス性を高くすることができるものである。
【０００９】
請求項３に係る発明は、光源５をタイマやセンサにより自動的に点灯や消灯を行うことができ、光源５の無駄な点灯を防止して経済性を高めることができると共に、センサによる人感等により防犯性を高めることができるものである。
【発明を実施するための最良の形態】
【００１０】
以下、本発明を実施するための最良の形態を説明する。
【００１１】
本発明の照明付き土台水切りＡは、土台水切り４と光源ホルダー９と光源５とを備えて形成されている。土台水切り４は板金加工品やアルミニウム成形品や樹脂成形品などで水平方向に長尺に形成されるものである。また、土台水切り４は、図２に示すように、矩形板状の固定片１の下端に傾斜片２を形成し、傾斜片２の前端に垂下片３を設けて形成されるものである。上記の傾斜片２は固定片１の下端から前方に向かって下り傾斜して形成されるものであり、上記の垂下片３は傾斜片２の前端から下方に向かって突出して形成されるものである。また、上記の光源ホルダー９は土台水切り４と同様の材料を用いて水平方向に長尺に形成されるものであって、下面が開口する断面略コ字状の光源保持部１０と光源保持部１０から上方に向かって突出した取付部８とから構成されている。光源保持部１０の両方の長手方向に沿った下面開口縁部に片状の脱落防止部１２、１２が下面開口に突出して設けられている。
【００１２】
図３に本発明で使用する光源５を示す。この光源５は、ＬＥＤなどの光源部材１３と筒状の組込体１４とでユニットとして形成されるものであり、組込体１４の下面に複数の光源部材１３が並設されている。また、組込体１４の内部空間は光源部材１３の給電配線などを通すための配線空間１５として形成されている。また、複数の組込体１４、１４…を隣接させてコネクタにより連結可能に形成しても良い。そして、光源５は光源ホルダー９の光源保持部１０に保持されている。つまり、光源５は、光源保持部１０の内側に弾性的に嵌め込まれ、その下面は脱落防止部１２、１２により係止されている。これにより、光源５は光源保持部１０の内側に落下しないように保持されている。尚、光源５は光源保持部１０に着脱自在に保持してもよいし、着脱不能なように一体化して保持しても良い。
【００１３】
図１（ａ）（ｂ）に本発明の照明付き土台水切りＡを施工した状態を示す。本発明の照明付き土台水切りＡは、光源５を保持する光源ホルダー９と土台水切り４とを基礎１６の上に設けた土台１７に取り付けて形成することができる。この場合、光源ホルダー９の取付部８を土台１７の屋外面にビス等で固定することができる。土台水切り４の固定片１を光源ホルダー９の取付部８の屋外面に配置し、土台１７にビス等で固定することができる。また、光源部材１３の給電配線を商用電源等に接続する。このようにして照明付き土台水切りＡを取り付けると、傾斜片２の下側で且つ垂下片３の裏面側の空間に光源ホルダー９の光源保持部１０を配設することができ、この光源ホルダー９の光源保持部１０に光源５が保持された状態となる。
【００１４】
このように照明付き土台水切りＡを取り付けた後、外壁を形成することができる。すなわち、まず、土台１７及び柱１９等から成る壁下地の屋外側に透湿防水シート２０を配設する。このとき、土台１７の屋外面に固定した固定片１の屋外面を透湿防水シート２０の下端部で覆うようにする。次に、外壁材保持金具２１を壁下地に取り付ける。外壁材保持金具２１は固定片１を覆う透湿防水シート２０の下端部の屋外側に配置し、ビス等の固定具１８を土台１７にまで打ち込むようにして固定することができる。次に、外壁材２２を壁下地に取り付ける。外壁材２２はサイディングなどで板状のものを用いることができ、外壁材２２の下端を外壁材保持金具２１で支持しながら壁下地の屋外側に配置した後、この外壁材２２の上端も外壁材保持金具２１で壁下地に固定することができる。また、外壁材２２の下部からビス等の固定具２３を土台１７にまで打ち込むようにして外壁材２２を固定することもできる。このようにして複数枚の外壁材２２、２２…からなる建物の外壁を形成することができる。
【００１５】
そして、本発明の照明付き土台水切りＡでは、図４に示すように、光源５の光源部材１３を点灯させることによって、外壁の下部や基礎１６及び建物の周辺を光Ｓで照明することができる。従って、夜間等の歩行時に見えやすくなって安全性を高めることができ、防犯性も高めることができるものであり、さらに照明で意匠性を付与して建物の外観を向上させることができるものである。また、複数個の光源部材１３、１３…を直線状に並べることにより、直線的な光を得ることができるものである。尚、図４において、符号３０は間柱、符号３１はコーナー部材、符号３２はジョイナー、符号３３はシーリングである。
【００１６】
本発明にあっては、光源保持部１０として各種の形状を採用することができる。例えば、図５（ａ）（ｂ）に示す光源ホルダー９は、光源保持部１０の一方の下面開口縁部に開口内に突出する脱落防止部１２が設けられている。図５（ａ）では光源保持部１０の後側開口縁部に、図５（ｂ）では光源保持部１０の前側開口縁部に脱落防止部１２が形成されている。そして、光源５は光源保持部１０の内側に下面開口から差し込まれ、光源保持部１０の弾性力及び脱落防止部１２による支持により、光源保持部１０の内側に着脱自在に保持されるものである。
【００１７】
図６（ａ）（ｂ）に示すものでは、図５（ａ）（ｂ）の脱落防止部１２に脱落防止板２４を軸部２５により回転自在に取り付けたものである。脱落防止板２４は矩形に形成されており、その一端が脱落防止部１２の下面に軸部２５により枢着されている。従って、図６（ｃ）に示すように、脱落防止板２４は軸部２５を中心として略水平に回転自在に形成されている。そして、この場合、光源保持部１０の内側に光源５を嵌め込んで保持した後、光源保持部１０の下面開口を横切るように脱落防止板２４を回転させるものであり、これにより、脱落防止板２４でより確実に光源５を保持して脱落を防止することができるものである。また、光源保持部１０の下面開口を横切らないように脱落防止板２４を回転させることにより、光源保持部１０の下面開口から光源５を容易に取り外すことができる。図７に示すものは、光源保持部１０の両方の長手方向に沿った下側開口縁部に突起状の脱落防止部１２、１２が下面開口に突出するように形成されている。このものでは、脱落防止部１２、１２の押圧（押さえ込み）により光源５を弾性的に着脱自在に保持することができる。さらに、図８に示す実施の形態では、光源ホルダー９として固着片２９を組込体１４の上面に突出して形成したものである。この場合、組込体１４と固着片２９とはアルミニウムの押出成形で一体的に成形することができる。また、上記と同様に、組込体１４の下面には複数の光源部材１３が並設されていると共に、組込体１４の内部空間は光源部材１３の給電配線などを通すための配線空間１５として形成されている。
【００１８】
本発明において、光源５をタイマによる時間計測又はセンサによる検知により点灯又は消灯自在に形成することができる。例えば、タイマにより暗くなる時間を計測して光源５の光源部材１３を点灯するように制御し、タイマにより明るくなる時間を計測して光源５の光源部材１３を消灯するように制御することができる。また、建物に人が近づくと人感センサ等のセンサで検知して光源５の光源部材１３を点灯するように制御することができ、また、光センサ等のセンサで建物の周囲の明るさを検知して光源５の光源部材１３の点灯や消灯を制御することができる。この場合、マイクロコンピュータを備えた制御手段により光源部材１３の点灯消灯を制御することができる。また、タイマと人感センサを組み合わせ、タイマにより暗くなる時間を計測して暗い間は光源部材１３を点灯させておき、この点灯状態で人が建物に近づくと、人感センサにより検知して光源部材１３を点滅させるように制御することもできる。
【００１９】
このようにタイマやセンサによる検出結果に基づいて光源部材１３の点灯又は消灯を制御することにより、無駄な点灯を防止して経済的に有利となり、また、防犯性を高くすることができるものであり、さらに点灯や消灯の間隔等を制御することにより意匠性を高くすることができるものである。
【図面の簡単な説明】
【００２０】
【図１】（ａ）は本発明の実施の形態の一例を示す断面図、（ｂ）は一部の斜視図である。
【図２】同上の照明付き土台水切りの一例を示す断面図である。
【図３】同上の光源の一例を示す斜視図である。
【図４】同上の施工状態を示す斜視図である。
【図５】（ａ）（ｂ）は同上の土台水切りと光源ホルダーの一例を示す断面図である。
【図６】（ａ）（ｂ）は同上の土台水切りと光源ホルダーの他例を示す断面図、（ｃ）は一部を示す概略図である。
【図７】同上の土台水切りと光源ホルダーの他例を示す断面図である。
【図８】同上の他の実施の形態を示す断面図である。
【符号の説明】
【００２１】
１  固定片
２  傾斜片
３  垂下片
４  土台水切り
５  光源
８  取付部
９  光源ホルダー
１７  土台
Ａ  照明付き土台水切り
【図１】
0005149637.tif 000002
【図２】
0005149637.tif 000003
【図３】
0005149637.tif 000004
【図４】
0005149637.tif 000005
【図５】
0005149637.tif 000006
【図６】
0005149637.tif 000007
【図７】
0005149637.tif 000008
【図８】
0005149637.tif 000009